(57)【要約】【課題】三相交流電流の極間電流各々を単数のカソード、アーノード電極に用いさせる電極回路とその電極の構成。【解決手段】三相交流電流の極間電流各々に逆流防止手段を設け、備える複数（３基）のアーノード電極に接続させ、単数に備えるカソード電極に上記極間電流各々の上記逆流防止手段を回避させる位置各々に分岐させる回路を各々に設け逆流防止手段其々を備えて接続させ、三相交流電流の極間電流其々を回帰させる電極回路を構成させている。また磁化させ回転さる軸状の電極軸を円筒形状の電極筒に底部を絶縁させ仕切り支持させて備え、円筒状の上記電極筒に多様な外周面を形成させ、上記電極筒と上記電極軸の領域に充填物を備え、上記電極軸に流れる電流を上記電極軸上部に備える電磁コイルを通し上記電極軸、上記電極筒に磁場を与え且つ回転させて三相交電流の電極回路に用いる電極を構成させている。【選択図】  図１
2004211196.tif 000002
【特許請求の範囲】
【請求項１】
三相交流電流の極間電流（図１  Ｒ、Ｓ、Ｔ）各々に逆流防止手段（図１  Ｒ２、Ｓ２、Ｔ２）を設けて備え、所定の間隔を設けて配備させる複数のアーノード電極（図１  ＡＲ、ＡＳ、ＡＴ）各々に接続させ、一方備える上記アーノード電極其々に所定の間隔を設けて単数のカソード電極（図１  ＣＥ）を備え、上記極間電流各々の上記逆流防止手段各々を避ける位置（図１  Ｒ１、Ｓ１、Ｔ１）各々を分岐させて設け備える逆流防止手段（図１  Ｒ３、Ｓ３、Ｔ３）其々を接続させ、上記極間電流各々の電流回路を構成させる電極回路（図１）。
【請求項２】
三相交流電流の極間電流（図２  Ｒ、Ｓ、Ｔ）各々に逆流防止手段（図２  Ｒ２、Ｓ２、Ｔ２）を設けて備え、備える単数のアーノード電極（図２  ＡＥ）に接続させ、一方備える上記アーノード電極の周囲所定な間隔を設けて配備させる複数のカソード電極（図２  ＣＲ、ＣＳ、ＣＴ）其々を備え、上記極間電流各々の上記逆流防止手段其々を避ける位置（図２  Ｒ１、Ｓ１、Ｔ１）各々を分岐させて設け備える逆流防止手段（図２  Ｒ３、Ｓ３、Ｔ３）其々に接続させ、上記極間電流の電流回路を構成させる電極回路（図２）。
【請求項３】
三相交流電流の極間電流（図３  Ｒ、Ｓ、Ｔ）各々に逆流防止手段（図３  Ｒ２、Ｓ２、Ｔ２）を設け備えて単数のアーノード電極（図３ＡＥ）に接続させ、一方上記アーノード電極に所定の間隔を設けて配置させる単数のカソード電極（図３  ＣＥ）を設けて備え、上記極間電流各々の上記逆流防止手段各々を避ける位置（図３  Ｒ１、Ｓ１、Ｔ１）其々を分岐させて設け備える逆流防止手段（図３  Ｒ３、Ｓ３、Ｔ３）各々に接続させ、上記極間電流の電流回路を構成させる電極回路（図３）。
【請求項４】
三相交流電流の極間電流各々に電極各々を備え、備える上記電極各々の周囲所定な位置に上記電極の誘導電極各々を備えて構成させる電極回路。
【請求項５】
請求項１、２、３、４に記載の電極回路を同様に単相交流電流及び多相交流電流に用いて構成させる単相交流電流及び多相交流電流の電極回路。
【請求項６】
請求項１、２、３、４、５に記載のアーノード電極（ＡＥ、ＡＲ、ＡＳ、ＡＴ）、カソード電極（ＣＥ、ＣＲ、ＣＳ、ＣＴ）、電極、誘導電極各々の上部位置に電磁コイル（図４  Ｃ）を設けて備え、上記アーノード電極、カソード電極、電極、誘導電極其々に流れる上記極間電流を経由させ各々を磁化させて構成させる電極回路。
【請求項７】
請求項６に記載する電極の各々上部に回転手段（図４  Ｅ）を設け上記電極各々を回転且つ絶縁させ支持させて備え構成させる電極回路。
【請求項８】
請求項１、２、３、４、５、６、７に記載する各々の電極に有って、外周面に球面、曲面、細線状或いは細溝状、突起状の表面形状（図４  Ｄ３）を密に備える円筒形状の電極筒（図４  Ｄ２）を備えて上下を開放し、その底部位置を絶縁させて仕切り（図４  Ｄ１）、磁化可能な軸状の電極軸（図４Ｄ）を上記電極筒の芯に設け、上記電極筒の絶縁仕切り底部（図４  Ｄ１）に支持させて備え、上記電極軸と上記電極筒の間隙或いは収納、充填可能な領域（図４  Ｄ４）を備えさせて構成させる電極（図４）、また上記電極筒（図４  Ｄ２）の円筒形状を上記電極筒の内部に備える電極軸（図４  Ｄ）及び領域（図４Ｄ４）を同様に伴う螺旋状の円筒形状に形成させて構成させる電極。
【請求項９】
請求項１、２、３、４、５、６、７、８に記載する各々の電極に有って、備える円筒形状の電極筒（図４  Ｄ２）と電極軸（図４  Ｄ）に形成される領域（図４  Ｄ４）にカルシュウム、マグネシュウム、珪素、炭素、天然石、電気石、錫、ニッケル、チタン、セラミックス、鉄及び上記物質の化合物を単独に或いは選択混合、混合させて充填させ構成する電極、また上記充填物の種類或いは混合割合を変えて構成させる電極。
【請求項１０】
請求項８、９に記載の電極に有って、電極筒（図４  Ｄ２）の円筒形状を球面形状に変え、球面電極の上部位置に円筒を備えて開放させ、上記円筒に電極軸（図４  Ｄ）を通して設け、上記球面電極の底部に上記電極軸を絶縁且つ支持させて備え構成する球面電極、また複数の上記球面電極を直線状に備え、その上記球面電極各々の近接する球面位置を其々の上記円筒に接続させて連結し、其々の上記円筒に接続し結合させる上記球面電極の球面を連通させて開放する一対の球面電極体を形成させ、上記球面電極体の芯に上記電極軸を通して備え、上記球面電極体低位置の上記球面電極底部に絶縁し支持させて構成させる球面電極体。
【請求項１１】
請求項１、２、３、４、５、６、７、８、９、１０に記載される各々の電極を構成させる電極筒（図４  Ｄ２）、球面電極、球面電極体に有って、パナジュウム、ニッケル、チタン、クローム、鉄、ステンレス鋼、アルミニューム、合金、焼結合金、金属セラミックス、天然石を用いて構成させる電極。
【請求項１２】
請求項１、２、３、４、５、６、７、８、９、１０、１１に記載される電極回路及び電極を電気分解系に用いる電気分解方式。
【請求項１３】
請求項１、２、３、４、５、６、７、８、９、１０、１１に記載される電極回路及び電極を電気泳動系に用いる電気泳動方式。
【請求項１４】
請求項１、２、３、４、５、６、７、８、９、１０、１１に記載される電極回路及び電極を電気浸透系に用いる電気浸透方式。
【請求項１５】
請求項１、２、３、４、５、６、７、８、９、１０、１１に記載される電極回路及び電極を電気放電系に用いる電気放電方式。
【請求項１６】
請求項１、２、３、４、５、６、７、８、９、１０、１１に記載される電極回路及び電極を地中通電系に用いる地中通電方式。
【請求項１７】
請求項１、２、３、４、５、６、７、８、９、１０、１１に記載される電極回路及び電極を電気分解常温核融合系に用いる核融合方式。
【請求項１８】
請求項１、２、３、４、５、６、７、８、９、１０、１１に記載される電極回路及び電極を微生物の衰退、増殖に用いる微生物の生息方式。
【請求項１９】
請求項１、２、３、４、５、６、７、８、９、１０、１１に記載される電極回路及び電極を植物、樹木の衰退、増殖に用いる植樹木の育成方式。
【請求項２０】
請求項１、２、３、４、５、６、７、８、９、１０、１１に記載される電極回路及び電極を淡水産物、海産物の衰退、増殖に用いる水産物の育成方式。
【発明の詳細な説明】
【０００１】
【発明の属する技術分野】
本発明は、三相交流電流の電極回路と電極に関する。
【０００２】
【従来の技術】
従来、電気分解、電気泳動、電気浸透或いは電極を用いるプロセス系等の電力（作用）に用いる電源及び電力システムは、直流を主とし交流電源を直流に整流させる必要性が有った。
また交流電源は、備える電極間に極性の変化を絶えず生じ、電極面のアーノード、カソード作用を交互に変える不具合と不利益を有し、用いられるケースと試みは少なかった。
【０００３】
【発明が解決しようとする課題】
本発明は、電気分解、電気泳動、電気浸透或いは電極を用いるプロセス系等の電力、電源に三相交流電流を直接に用い、直流に変換させる整流ロスを省き、また三相交流電流の相互間に起こる極性変化を電極回路に回避させ、用いる電極の表面作用或いは反応作用に極性の変化を影響させない三相交流電流、多相交流電流の電極回路を構成させる。また用いる電極の表面作用を高めさせる電極の単数化と構成。
【０００４】
【課題を解決するための手段】
三相交流電流の極間電流（図１  Ｒ、Ｓ、Ｔ）各々に逆流防止手段（図１  Ｒ２、Ｓ２、Ｔ２）を備え、三方位所定の間隔に配備させる３基のアーノード電極（図１  ＡＲ、ＡＳ、ＡＴ）其々を備えて接続させ、一方上記配備されるアーノード電極各々の中央付近に単数のカソード電極（図１  ＣＥ）を配置させ、上記極間電流各々の上記逆流防止手段を避ける位置（図１  Ｒ１、Ｓ１、Ｔ１）に各々逆流防止手段（図１  Ｒ３、Ｓ３、Ｔ３）を備えさせて接続させ、上記極間電流各々の電極回帰回路を構成させて三相交流電流の電極間回路を構成させ、上記カソード電極を単数（単極）化させている。
また上記同様に単数のアーノード電極（図２  ＡＥ）を備え、その周囲に複数のカソード電極（図２  ＣＲ、ＣＳ、ＣＴ）を上記同様に配備させ、上記同様単数化させた上記カソード電極に上記極間電流各々を作用させて三相交流電流、多相交流電流の電極回路を構成させている。
【０００５】
三相交流電流を用いる背景には、複数の極間電流を単数の電極、アーノード、カソード面に集中させ、強い電極面作用と反応を得、また用いる交流の極性変化に起こる電流周期を電極面の作用に用いさせている。
更に備える電極の表面形状を多様に形成し、電極面を回転させ、電極内部充填物質の作用を用い、電極に磁場を形成させ、各々の作用を相乗させて電極表面の強い反応を誘導させている。
【０００６】
【発明の実施の形態】
実施の形態について図１を参照し説明する。
本発明は、三相交流電流の極間電流（図１  Ｒ、Ｓ、Ｔ）各々を備える単数のカソード電極（図１  ＣＥ）に誘導させ回帰させる三相交流電流の電極回路と用いる電極（図４）である。
【０００７】
実施の形態を液体の電気分解系に例えて説明する。
三相交流電気分解系を構成させる。電解質を介在させる電解液を所定に収容させる電気分解系を構成させ、アーノード、カソード各々の電極を備え、三相交流電流を備える電極其々に接続させて構成させる。
電気分解系に用いる電源の構成は、三相交流電流を用い、其々の極間電流（図１  Ｒ、Ｓ、Ｔ）各々に逆流防止手段（図１  Ｒ２、Ｓ２、Ｔ２）を設けて備える。上記逆流防止手段は電流の可逆性を防止させ、電流の方向を定めさせればよい。
【０００８】
電極の構成は、軸状の電極軸（図４  Ｄ）を備え、その下半部周囲に多様な外周表面構造（図４  Ｄ３）を設ける円筒状の電極筒（図４  Ｄ２）を設け、上記電極筒の芯に通し備えてその両側を開放させ、上記電極筒の底部を絶縁に仕切る仕切り（図４  Ｄ１）に上記電極軸の低端部を支持させて一体の回転可能な電極を構成させる。また上気電極軸の上部位置に上記電極軸を磁化させる電磁コイル（図４  Ｃ）を設け、上記電磁コイルのコイル芯に上記電極軸を回転可能に通して備え、尚上記電磁コイルの芯に備わる上記電極軸の上部位置に上記電極軸を回転させる回転手段（図４  Ｅ）を上記電極軸に絶縁させて備え、上記電極軸の回転と絶縁を可能とさせる支持手段を備えて単体の電極を構成させる。
上記電極筒の材質は、電気分解系の目的を考慮し請求項１１に記載される材質を選択する。またカソード電極として用いる上記電極筒は電解溶出を考慮し同様に選択する。また上記電極筒と上記電軸の間に形成させる領域（図４  Ｄ４）に請求項９の記載物質或いは混合物質をその目的に合わせ充填させて備え単体の電極を構成させる。
【０００９】
上記電気分解系に電極を備えて電極回路を構成させる。電気分解系の中央に上記単体電極を単数に設け、備える単体電極の上記電極筒下半部を電解液に浸漬させて電気分解系に支持させ回転可能に備えてカソード電極（図１  ＣＥ）を構成させる。
一方備える上記カソード電極の周囲三方位に所定の間隔を設けて上記単体電極を複数に備え、３基（単体電極数３）のアーノード電極（図１  ＡＲ、ＡＳ、ＡＴ）を上記カソード電極同様電気分解系に支持させて配備する。
【００１０】
電気分解系に配備する其々の電極に三相交流電流を接続させて備える電極間の電流回路を構成させる。上記逆流防止手段を各々に備える上記三相交流電流の極間電流各々を三方位に配備する上記アーノード電極其々に備える上記電磁コイルに接続させ上記アーノード電極の電極軸或いは電極筒に磁場を与え回転させる上記電極軸に電流を流す。一方電気分解系の中央に上記アーノード電極同様に備える上記カソード電極に、上記極間電流各々に備える逆流防止手段各々を避ける位置（図１  Ｒ１、Ｓ１、Ｔ１）を分岐する回路各々に逆流防止手段（図１  Ｒ３、Ｓ３、Ｔ３）各々を設けて上記アーノード電極同様に上記カソード電極の電極軸を磁化させ回転を可能とさせて接続し上記カソード電極の電極筒に電流を流す。
【００１１】
上記三相交流電流の極間電流各々の電極回路を構成させる。上記電気分解系の電解液に介在させる電解質を介し、配備する上記アーノード電極、カソード電極を用いて構成する上記極間電流の電流経路および回帰回路は、上記極間電流Ｒ（図１  Ｒ）は上記逆流防止手段（図１  Ｒ２）を経て上記アーノード電極（図１ＡＲ）に流れ上記アーノード電極の電極表面から電解液の電解質を介し上記カソード電極（図１  ＣＥ）の電極表面に吸収され、備える上記逆流防止手段（図１  Ｒ３）を経て上記極間電流Ｓ（図１  Ｓ）の上記逆流防止手段（図１  Ｓ２）を避ける位置（図１  Ｓ１）に分岐する回路を通り上記極間電流Ｓ（図１  Ｓ）に回帰させて電極回路を構成させる。また同様に上記極間電流Ｓ（図１  Ｓ）、上記極間電流Ｔ（図１  Ｔ）も同等に其々上記極間電流Ｔ（図１  Ｔ）、上記極間電流Ｒ（図１  Ｒ）に回帰回路を構成し上記極間電流各々の相互順次な電極回帰回路を構成する。
【００１２】
上記極間電流各々を単数のカソード電極、電極表面に吸収させる電極回路或いは回帰回路を構成させ、備える上記カソード電極の電極表面に強いカソード作用と反応を構成させる。
【００１３】
【実施例】
実施例を液体の電気分解系に例え、図−１を参照し説明する。
【００１４】
電解質を介在させる電解液を所定に収容させて電気分解系を設ける。
上記電気分解系に配備させ備えて構成させる電極は、単数のカソード電極（図１  ＣＥ）、３基のアーノード電極（図１  ＡＲ、ＡＳ、ＡＴ）を三相交流電流の極間電流（図１  Ｒ、Ｓ、Ｔ）各々に接続させて構成させる。
上記カソード、アーノード電極の構造は、電極筒（図４  Ｄ２）に磁場を与え回転させる電極軸（図４  Ｄ）、その電極軸に低部を絶縁し仕切り支持する電極筒（図４  Ｄ２）と上記電極軸を磁化させる電磁コイル（図４  Ｃ）、上記電極軸に結合する上記電極筒を回転させる回転手段（図４  Ｅ）、更に上記電極軸と上記電極筒とに形成される領域（図４  Ｄ４）に充填物を充填させて各々を構成させる。
上記電磁コイルは形成するコイルの芯に上記電極軸の上部を回転可能且つ絶縁させて通し上記回転手段に指示させて備える。
上記回転手段は上記電極軸の上部位置を絶縁且つ回転可能に支持し上記電気分解系に上記電極軸を支持させて各々の電極、上記アーノード、カソード電極を構成させる。
また上記電極軸の低端部に底部を絶縁し仕切る（図４  Ｄ１）円筒状の電極筒（図４  Ｄ２）をその仕切り位置に絶縁させて支持し結合させて備え尚上記電極軸と上記電極筒の空き間隔に充填物を充填させ、更に上記電極筒の外周表面に多様な形状（図４  Ｄ３）を設けさせて一体の上記アーノード、カソード電極を其々に構成させ上記電気分解系に配備させて三相交流電流の電極、電極回路を構成させる。
【００１５】
上記カソード電極を上記電気分解系の中央に上記カソード電極を構成する上記電極筒の下半部を電解液に浸漬させ、回転可能に上記電気分解系に支持させて備える。一方複数の上記アーノード電極も上記カソード電極同様電解液に浸漬させ、備える上記カソード電極の周囲三方位に所定の間隔を設けさせて上記カソード電極同様に電気分解系に配備させる。
【００１６】
三相交流電流の極間電流（図１  Ｒ、Ｓ、Ｔ）各々に逆流防止手段（図１  Ｒ２、Ｓ２、Ｔ２）を備え電気分解系の電源を備える。上記極間電流其々を電気分解系に配備する其々の上記アーノード電極其々に備える電磁コイルに接続させ、電磁コイルを磁化させた後、上記電極軸に電流を導き上記アーノード電極を構成させる上記電極筒に電流を伝える。
また上記極間電流各々の上記逆流防止手段（図１  Ｒ２、Ｓ２、Ｔ２）各々を避ける位置（図１  Ｒ１、Ｓ１、Ｔ１）各々に分岐させて設ける逆流防止手段（図１  Ｒ３、Ｓ３、Ｔ３）各々を上記単数のカソード電極に上記アーノード電極同様に接続させて三相交流電流の上記極間電流各々の電極回路或いは回帰回路を開いて構成させる。
【００１７】
【発明の効果】
本発明は、以上説明した形態で実施され以下に記載する効果を生む。
【００１８】
三相交流電流の整流ロスを省くことができる。
【００１９】
三相交流電流の極間電流各々をアーノード電流、カソード電流に用いられること、また極間電流各々を単数のアーノード極、カソード極に作用させ電極表面の強い作用と反応を得ることができる。
【００２０】
電極を介在させるプロセスに用途と効果を与える活用性は広く、その適用範囲の広さも効果と言える。
【図面の簡単な説明】
【図１】単数のカソード電極と複数のアーノード電極に構成される三相交流電流の電極回路構成図
【図２】単数のアーノード電極と複数のカソード電極に構成される三相交流電流の電極回路構成図
【図３】単数のカソード電極と単数のアーノード電極に構成される三相交流電流の電極回路構成図
【図４】アーノード電極、カソード電極、電極、誘導電極の構成図
【符号の説明】
Ｒ          三相交流電流の極間電流Ｒ
Ｓ          三相交流電流の極間電流Ｓ
Ｔ          三相交流電流の極間電流Ｔ
Ｒ２        逆流防止手段
Ｓ２        逆流防止手段
Ｔ２        逆流防止手段
ＡＥ        単数のアーノード電極
ＣＲ        カソード電極
ＣＳ        カソード電極
ＣＴ        カソード電極
Ｒ３        逆流防止手段
Ｓ３        逆流防止手段
Ｔ３        逆流防止手段
ＡＲ        アーノード電極
ＡＳ        アーノード電極
ＡＴ        アーノード電極
ＣＥ        単数のカソード電極
Ｅ          電極軸の回転手段
Ｃ          電磁コイル
Ｄ          電極軸
Ｄ１        円筒状の電極底部仕切り、絶縁、電極軸の支持手段
Ｄ２        円筒状の電極
Ｄ３        円筒状電極の外周表面に備える表面形状
Ｄ４        空き間隔、収納あるいは充填領域
ＲＳＴ３    電磁コイル、電極軸を磁化させて電極軸に流れる電流
【図１】
2004211196.tif 000003
【図２】
2004211196.tif 000004
【図３】
2004211196.tif 000005
【図４】
2004211196.tif 000006